(57)【要約】【課題】電波信号の通過特性の劣化を抑止可能な低雑音ブロックダウンコンバータ用多層基板を提供する。【解決手段】本発明の低雑音ブロックダウンコンバータ用多層基板１０は、導波管２１を伝播する電波信号を伝達するアンテナパターン１５と、アンテナパターン１５に誘電体層３１〜３３を介して積層された３層のグランド用導電層１６〜１８とを備えている。３層のグランド用導電層１６〜１８のうち少なくともいずれか１層のグランド用導電層１８において、アンテナパターン１５よりも導波管２１側の領域３０の少なくとも一部に導電層４０が形成されていない。【選択図】        図５
2004297486.tif 000002
【特許請求の範囲】
【請求項１】
導波管を伝播する電波信号を伝達するアンテナパターンと、前記アンテナパターンに誘電体層を介して積層された２層以上のグランド用導電層とを備える低雑音ブロックダウンコンバータ用多層基板であって、
前記２層以上のグランド用導電層のうち少なくともいずれか１層のグランド用導電層において、前記アンテナパターンよりも前記導波管側の領域の少なくとも一部に導電層が形成されていないことを特徴とする、低雑音ブロックダウンコンバータ用多層基板。
【請求項２】
前記２層以上のグランド用導電層のうち少なくともいずれか１層のグランド用導電層において、前記アンテナパターンの真下の領域に導電層が形成されていないことを特徴とする、請求項１に記載の低雑音ブロックダウンコンバータ用多層基板。
【請求項３】
３層のグランド用導電層を備え、上から第１層目または第２層目のグランド用導電層のうちいずれか一方において前記アンテナパターンよりも前記導波管側の領域に誘電体層が形成され、かつ上から第３層目のグランド用導電層において前記アンテナパターンの真下の領域に切り欠部が形成されていることを特徴とする、請求項２に記載の低雑音ブロックダウンコンバータ用多層基板。
【請求項４】
３層のグランド用導電層を備え、上から第１層目および第２層目のグランド用導電層において、前記アンテナパターンよりも前記導波管側の領域に誘電体層が形成されていることを特徴とする、請求項２に記載の低雑音ブロックダウンコンバータ用多層基板。
【請求項５】
前記２層以上のグランド用導電層と前記誘電体層とを貫通して設けられた導波用孔が形成され、かつ前記２層以上のグランド用導電層の全層において前記導波用孔の周囲に導電層が形成されていることを特徴とする、請求項２に記載の低雑音ブロックダウンコンバータ用多層基板。
【請求項６】
３層のグランド用導電層を備え、上から第３層目のグランド用導電層において、前記アンテナパターンの真下の領域に切り欠部が形成されていることを特徴とする、請求項５に記載の低雑音ブロックダウンコンバータ用多層基板。
【請求項７】
３層のグランド用導電層を備え、上から第１層目または第２層目のグランド用導電層において、前記アンテナパターンよりも前記導波管側の領域の少なくとも一部に誘電体層が形成されていることを特徴とする、請求項５に記載の低雑音ブロックダウンコンバータ用多層基板。
【請求項８】
前記２層以上のグランド用導電層のうち少なくともいずれか２層のグランド用導電層において、前記アンテナパターンよりも前記導波管側の領域の少なくとも一部に導電層が形成されていないことを特徴とする、請求項５に記載の低雑音ブロックダウンコンバータ用多層基板。
【請求項９】
３層のグランド用導電層を備え、上から第１層目のグランド用導電層において前記アンテナパターンよりも前記導波管側の領域の少なくとも一部に誘電体層が形成され、かつ上から第３層目のグランド用導電層において前記アンテナパターンの真下の領域の少なくとも一部に切り欠部が形成されていることを特徴とする、請求項８に記載の低雑音ブロックダウンコンバータ用多層基板。
【請求項１０】
３層のグランド用導電層を備え、上から第１層目または第２層目のグランド用導電層において前記アンテナパターンよりも前記導波管側の領域の少なくとも一部に誘電体層が形成され、かつ上から第３層目のグランド用導電層において前記アンテナパターンの真下の領域に切り欠部が形成されていることを特徴とする、請求項８に記載の低雑音ブロックダウンコンバータ用多層基板。
【請求項１１】
前記２層以上のグランド用導電層のうち少なくともいずれか２層のグランド用導電層において、前記アンテナパターンの真下の領域に導電層が形成されていないことを特徴とする、請求項８に記載の低雑音ブロックダウンコンバータ用多層基板。
【請求項１２】
３層のグランド用導電層を備え、上から第１層目または第２層目のグランド用導電層において前記アンテナパターンよりも前記導波管側の領域の少なくとも一部に誘電体層が形成され、かつ上から第３層目のグランド用導電層において前記アンテナパターンの真下の領域に切り欠部が形成されていることを特徴とする、請求項１１に記載の低雑音ブロックダウンコンバータ用多層基板。
【請求項１３】
３層のグランド用導電層を備え、上から第１層目および第２層目のグランド用導電層において前記アンテナパターンよりも前記導波管側の領域の少なくとも一部に誘電体層が形成されていることを特徴とする、請求項１１に記載の低雑音ブロックダウンコンバータ用多層基板。
【請求項１４】
前記２層以上のグランド用導電層と前記誘電体層とを貫通して設けられた導波用孔が形成され、かつ前記２層以上のグランド用導電層の全層において前記導波用孔の全周を取り囲む導電層が形成されている、請求項１に記載の低雑音ブロックダウンコンバータ用多層基板。
【請求項１５】
３層のグランド用導電層を備え、上から第１層目または第２層目のグランド用導電層において前記アンテナパターンよりも前記導波管側の領域の少なくとも一部に誘電体層が形成され、かつ上から第３層目のグランド用導電層において前記アンテナパターンの真下の領域の少なくとも一部に切り欠部が形成されていることを特徴とする、請求項１４に記載の低雑音ブロックダウンコンバータ用多層基板。
【請求項１６】
３層のグランド用導電層を備え、上から第１層目および第２層目のグランド用導電層において前記アンテナパターンよりも前記導波管側の領域の少なくとも一部に誘電体層が形成されていることを特徴とする、請求項１４に記載の低雑音ブロックダウンコンバータ用多層基板。
【発明の詳細な説明】
【０００１】
【発明の属する技術分野】
本発明は、衛星放送、衛星通信などで使用する低雑音ブロックダウンコンバータ（Ｌｏｗ  Ｎｏｉｓｅ  Ｂｌｏｃｋ  ｄｏｗｎ  ｃｏｎｖｅｒｔｅｒ、以下「ＬＮＢ」という。）、または、これに組み込まれて用いられるＬＮＢ用基板ユニットに関する。
【０００２】
【従来の技術】
ＬＮＢとは、複数のチャンネルを含む広い帯域の受信信号を低雑音増幅すると同時に、一括して低い周波数帯に周波数変換する機能を持つ装置である。
【０００３】
近年、衛星放送の多チャンネル化などのサービスの多用化により、１つのＬＮＢが複数のマイクロ波を受信したり、また、１つのＬＮＢが複数の信号入力端子を介してチューナーに接続されたりしている。このようなＬＮＢにおいては、回路構成が複雑になるので、１枚の両面基板（２層基板）で回路構成をすることは難しい。このため、従来のＬＮＢにおいては、信号・電源線路を互いにジョイントピンなどで繋ぐことにより２枚以上の両面基板が使用されていた。しかしながら、２枚以上の両面基板を使用する場合には、信号・電源線路が互いにジョイントピンなどで繋がれた構成となるので、ＬＮＢが大型化、重量化し、製造工程が複雑になるという問題があった。
【０００４】
これを解決する手段の１つに、多層基板を用いてＬＮＢを構成する手段がある。多層基板は２層基板を積層し、誘電体層となる接着剤で貼り合わせることにより製造される。
【０００５】
図３１は、従来のＬＮＢ用４層基板を示す断面図である。
図３１を参照して、ＬＮＢ用４層基板１００がシャーシ１１１上に配置されている。ＬＮＢ用４層基板１００は、導波用孔１１３とプローブ１１４とアンテナパターン１１５と第１層目〜第３層目のグランド用導電層１１６〜１１８と、誘電体層１３１〜１３３とからなる。シャーシ１１１は導波管１２１と接続されていて、導波管１２１に連通する導波用孔１１３がＬＮＢ用４層基板１００に開口されている。プローブ１１４は、ＬＮＢ用４層基板１００から突き出して導波用孔１１３内に配置されている。
【０００６】
ＬＮＢ用４層基板１００においては、アンテナパターン１１５が最上層の導電層で形成されている。また、第１層目〜第３層目のグランド用導電層１１６〜１１８が、それぞれ上から２番目、３番目、最下層の導電層で形成されている。このアンテナパターン１１５および第１層目〜第３層目のグランド用導電層１１６〜１１８の各々の間には、誘電体層１３１〜１３３の各々が形成されている。
【０００７】
ここで、第１層目〜第３層目のグランド用導電層１１６〜１１８は、接続用孔（図示なし）により電気的に接続されている。これにより、第１層目〜第３層目のグランド用導電層１１６〜１１８は接地電位であるシャーシ１１１と同電位となっている。第１層目〜第３層目のグランド用導電層１１６〜１１８は、全面もしくは一部が導電層で形成されている。
【０００８】
上記の構成により、従来のＬＮＢ用４層基板１００においては、導波管１２１を伝播してきた電波信号が導波用孔１１３内に導入され、プローブ１１４を介してアンテナパターン１１５に伝送入力されている。
【０００９】
以上、本発明についての従来の技術を出願人の知得した一般的技術情報に基づいて説明したが、出願人の記憶する範囲において、出願前までに先行技術文献情報として開示すべき情報を出願人は有していない。
【００１０】
【発明が解決しようとする課題】
しかしながら、従来のＬＮＢ用多層基板においては、内層に配置されるグランド用導電層とその基盤を固定している筐体とは電気的に分離される。このため、特に高周波になると通過損失として影響を受けやすい。両面基板を使用する場合に比べて、この通過損失の劣化が多層基板を採用する場合の問題となっている。
【００１１】
具体的には、ＬＮＢ用４層基板１００において、第１層目のグランド用導電層１１６は、第２層目および第３層目のグランド用導電層１１７、１１８を介してシャーシ１１１（接地電位）と電気的に接続されている。これにより、第１層目のグランド用導電層１１６は、第２層目および第３層目のグランド用導電層１１７、１１８と電気的な相互作用を及ぼし合うので、接地電位に保たれにくくなっている。また、第２層目のグランド用導電層１１７も同様に、接地電位に保たれにくくなっている。これにより、電波信号の通過特性の劣化が生じるという問題があった。
【００１２】
したがって、本発明の目的は、電波信号の通過特性の劣化を抑止可能なＬＮＢ用多層基板を提供することである。
【００１３】
【課題を解決するための手段】
本発明の低雑音ブロックダウンコンバータ用多層基板は、導波管を伝播する電波信号を伝達するアンテナパターンと、アンテナパターンに誘電体層を介して積層された２層以上のグランド用導電層とを備えている。２層以上のグランド用導電層のうち少なくともいずれか１層のグランド用導電層において、アンテナパターンよりも導波管側の領域の少なくとも一部に導電層が形成されていない。
【００１４】
本願発明者らは、２層以上のグランド用導電層が互いに電気的な相互作用を及ぼし合うことにより、２層以上のグランド用導電層の各々が接地電位に保たれなくなる現象は、２層以上のグランド用導電層において、導波管側の領域で特に強いことを見出した。したがって、２層以上のグランド用導電層のうち少なくともいずれか１層の導電層において、アンテナパターンよりも導波管側の領域の少なくとも一部の導電層がなくなるので、２層以上のグランド用導電層が互いに電気的な相互作用を及ぼし合うことが抑止される。その結果、２層以上のグランド用導電層の各々が接地電位に保たれ、電波信号の通過特性の劣化を抑止できる。
【００１５】
本発明の低雑音ブロックダウンコンバータ用多層基板において好ましくは、２層以上のグランド用導電層のうち少なくともいずれか１層のグランド用導電層において、アンテナパターンの真下の領域に導電層が形成されていない。
【００１６】
本願発明者らは、２層以上のグランド用導電層が互いに電気的な相互作用を及ぼし合うことにより、２層以上のグランド用導電層の各々が接地電位に保たれなくなる現象は、特にアンテナパターンの真下の領域において特に強いことを見出した。したがって、アンテナパターンの真下の領域において、２層以上のグランド用導電層のうち少なくともいずれか１層の導電層がなくなるので、２層以上のグランド用導電層が互いに電気的な相互作用を及ぼし合うことが一層抑止される。その結果、２層以上のグランド用導電層の各々が接地電位に保たれ、電波信号の通過特性の劣化を抑止できる。
【００１７】
本発明の低雑音ブロックダウンコンバータ用多層基板において好ましくは、３層のグランド用導電層を備え、上から第１層目または第２層目のグランド用導電層のうちいずれか一方において、アンテナパターンよりも導波管側の領域に誘電体層が形成されている。かつ、上から第３層目のグランド用導電層において、アンテナパターンの真下の領域に切り欠部が形成されている。
【００１８】
これにより、上から第１層目または第２層目のグランド用導電層のうちいずれか一方において、アンテナパターンよりも導波管側の領域に導電層がない。また、上から第３層目のグランド用導電層において、アンテナパターンの真下の領域に導電層がない。したがって、３層のグランド用導電層が互いに電気的な相互作用を及ぼし合うことが一層抑止される。その結果、３層のグランド用導電層の各々が接地電位に保たれ、電波信号の通過特性の劣化を抑止できる。
【００１９】
本発明の低雑音ブロックダウンコンバータ用多層基板において好ましくは、３層のグランド用導電層を備え、上から第１層目および第２層目のグランド用導電層において、アンテナパターンよりも導波管側の領域に誘電体層が形成されている。
【００２０】
これにより、上から第１層目および第２層目のグランド用導電層において、アンテナパターンよりも導波管側の領域に導電層がないので、３層のグランド用導電層が互いに電気的な相互作用を及ぼし合うことが一層抑止される。その結果、３層のグランド用導電層の各々が接地電位に保たれ、電波信号の通過特性の劣化を抑止できる。
【００２１】
本発明の低雑音ブロックダウンコンバータ用多層基板において好ましくは、２層以上のグランド用導電層と誘電体層とを貫通して設けられた導波用孔が形成されている。かつ、２層以上のグランド用導電層の全層において、導波用孔の周囲に導電層が形成されている。
【００２２】
これにより、２層以上のグランド用導電層において導電層がない領域がある場合においても、２層以上のグランド用導電層の各々の導波用孔の周囲にシャーシとの接触が十分に確保された導電層が形成されている。したがって、２層以上のグランド用導電層が互いに電気的な相互作用を及ぼし合うことが抑止されると同時に、接地電位を導波用孔の周囲に確保することが可能である。その結果、電波信号の通過特性の劣化を抑止できる。
【００２３】
本発明の低雑音ブロックダウンコンバータ用多層基板において好ましくは、３層のグランド用導電層を備え、上から第３層目のグランド用導電層において、アンテナパターンの真下の領域に切り欠部が形成されている。
【００２４】
これにより、上から第３層目のグランド用導電層において、アンテナパターンの真下の領域に導電層がないので、３層のグランド用導電層が互いに電気的な相互作用を及ぼし合うことが抑止されると同時に、接地電位を導波用孔の周囲に確保することが可能である。その結果、電波信号の通過特性の劣化を抑止できる。
【００２５】
本発明の低雑音ブロックダウンコンバータ用多層基板において好ましくは、３層のグランド用導電層を備え、上から第１層目または第２層目のグランド用導電層において、アンテナパターンよりも導波管側の領域の少なくとも一部に誘電体層が形成されている。
【００２６】
これにより、上から第１層目または第２層目のグランド用導電層において、アンテナパターンよりも導波管側の領域の少なくとも一部に導電層がないので、３層のグランド用導電層が互いに電気的な相互作用を及ぼし合うことが一層抑止される。それと同時に、接地電位を導波用孔の周囲に確保することが可能である。その結果、電波信号の通過特性の劣化を抑止できる。
【００２７】
本発明の低雑音ブロックダウンコンバータ用多層基板において好ましくは、２層以上のグランド用導電層のうち少なくともいずれか２層のグランド用導電層において、アンテナパターンよりも導波管側の領域の少なくとも一部に導電層が形成されていない。
【００２８】
これにより、２層以上のグランド用導電層のうち少なくともいずれか２層のグランド用導電層において、アンテナパターンよりも導波管側の領域の少なくとも一部に導電層がないので、２層以上のグランド用導電層が互いに電気的な相互作用を及ぼし合うことが一層抑止される。それと同時に、接地電位を導波用孔の周囲に確保することが可能である。その結果、２層以上のグランド用導電層の各々が接地電位に保たれ、電波信号の通過特性の劣化を抑止できる。
【００２９】
本発明の低雑音ブロックダウンコンバータ用多層基板において好ましくは、３層のグランド用導電層を備え、上から第１層目のグランド用導電層において、アンテナパターンよりも導波管側の領域の少なくとも一部に誘電体層が形成されている。かつ、上から第３層目のグランド用導電層において、アンテナパターンの真下の領域の少なくとも一部に切り欠部が形成されている。
【００３０】
これにより、上から第３層目のグランド用導電層において、アンテナパターンの真下の領域の少なくとも一部に導電層がない。また、上から第１層目のグランド用導電層において、アンテナパターンよりも導波管側の領域の少なくとも一部に導電層がない。したがって、３層のグランド用導電層が互いに電気的な相互作用を及ぼし合うことが一層抑止される。それと同時に、接地電位を導波用孔の周囲に確保することが可能である。その結果、電波信号の通過特性の劣化を抑止できる。
【００３１】
本発明の低雑音ブロックダウンコンバータ用多層基板において好ましくは、３層のグランド用導電層を備え、上から第１層目または第２層目のグランド用導電層において、アンテナパターンよりも導波管側の領域の少なくとも一部に誘電体層が形成されている。かつ、上から第３層目のグランド用導電層において、アンテナパターンの真下の領域に切り欠部が形成されている。
【００３２】
これにより、上から第３層目のグランド用導電層においてアンテナパターンの真下の領域に導電層がない。また、上から第１層目または第２層目のグランド用導電層においてアンテナパターンよりも導波管側の領域の少なくとも一部に導電層がない。したがって、３層のグランド用導電層が互いに電気的な相互作用を及ぼし合うことが一層抑止される。それと同時に、接地電位を導波用孔の周囲に確保することが可能である。その結果、電波信号の通過特性の劣化を抑止できる。
【００３３】
本発明の低雑音ブロックダウンコンバータ用多層基板において好ましくは、２層以上のグランド用導電層のうち少なくともいずれか２層のグランド用導電層において、アンテナパターンの真下の領域に導電層が形成されていない。
【００３４】
これにより、２層以上のグランド用導電層のうち少なくともいずれか２層のグランド用導電層において、アンテナパターンの真下の領域に導電層がなくなるので、２層以上のグランド用導電層が互いに電気的な相互作用を及ぼし合うことが一層抑止される。それと同時に、接地電位を導波用孔の周囲に確保することが可能である。その結果、電波信号の通過特性の劣化を抑止できる。
【００３５】
本発明の低雑音ブロックダウンコンバータ用多層基板において好ましくは、３層のグランド用導電層を備え、上から第１層目または第２層目のグランド用導電層において、アンテナパターンよりも導波管側の領域の少なくとも一部に誘電体層が形成され、かつ、上から第３層目のグランド用導電層において、アンテナパターンの真下の領域に切り欠部が形成されている。
【００３６】
これにより、上から第３層目のグランド用導電層において、アンテナパターンの真下の領域に導電層がない。また、上から第１層目または第２層目のグランド用導電層においてアンテナパターンよりも導波管側の領域の少なくとも一部に導電層がない。したがって、２層のグランド用導電層におけるアンテナパターンの真下の領域には導電層が全く形成されていないので、３層のグランド用導電層が互いに電気的な相互作用を及ぼし合うことが一層抑止される。それと同時に、接地電位を導波用孔の周囲に確保することが可能である。その結果、電波信号の通過特性の劣化を抑止できる。
【００３７】
本発明の低雑音ブロックダウンコンバータ用多層基板において好ましくは、３層のグランド用導電層を備え、上から第１層目および第２層目のグランド用導電層において、アンテナパターンよりも導波管側の領域の少なくとも一部に誘電体層が形成されている。
【００３８】
これにより、上から第１層目および第２層目のグランド用導電層において、アンテナパターンよりも導波管側の領域の少なくとも一部に導電層が形成されないので、３層のグランド用導電層が互いに電気的な相互作用を及ぼし合うことが一層抑止される。それと同時に、接地電位を導波用孔の周囲に確保することが可能である。その結果、電波信号の通過特性の劣化を抑止できる。
【００３９】
本発明の低雑音ブロックダウンコンバータ用多層基板において好ましくは、２層以上のグランド用導電層と誘電体層とを貫通して設けられた導波用孔が形成されている。かつ、２層以上のグランド用導電層の全層において、導波用孔の全周を取り囲む導電層が形成されている。
【００４０】
これにより、２層以上のグランド用導電層において導電層が形成されない部分がある場合においても、２層以上のグランド用導電層において各々の導波用孔の全周にシャーシとの接触が十分に確保された導電層が形成されている。したがって、２層以上のグランド用導電層が互いに電気的な相互作用を及ぼし合うことが抑止されると同時に、接地電位を導波用孔の全周に確保することが可能である。その結果、電波信号の通過特性の劣化を抑止できる。
【００４１】
本発明の低雑音ブロックダウンコンバータ用多層基板において好ましくは、３層のグランド用導電層を備え、上から第１層目または第２層目のグランド用導電層において、アンテナパターンよりも導波管側の領域の少なくとも一部に誘電体層が形成されている。かつ、上から第３層目のグランド用導電層において、アンテナパターンの真下の領域の一部に切り欠部が形成されている。
【００４２】
これにより、上から第３層目のグランド用導電層においてアンテナパターンの真下の領域の少なくとも一部に導電層がない。また、上から第１層目または第２層目のグランド用導電層においてアンテナパターンよりも導波管側の領域の少なくとも一部に導電層がない。したがって、２層のグランド用導電層において、アンテナパターンよりも導波管側の領域の少なくとも一部に導電層が形成されていないので、３層のグランド用導電層が互いに電気的な相互作用を及ぼし合うことが一層抑止される。それと同時に、３層のグランド用導電層の全層において、接地電位を導波用孔の全周に確保することが可能である。その結果、電波信号の通過特性の劣化を抑止できる。
【００４３】
本発明の低雑音ブロックダウンコンバータ用多層基板において好ましくは、３層のグランド用導電層を備え、上から第１層目または第２層目のグランド用導電層においてアンテナパターンよりも導波管側の領域の少なくとも一部に誘電体層が形成されている。
【００４４】
これにより、アンテナパターンの真下の領域において、上から第１層目および第２層目のグランド用導電層においてアンテナパターンよりも導波管側の領域の少なくとも一部に導電層がないので、３層のグランド用導電層が互いに電気的な相互作用を及ぼし合うことが一層抑止される。それと同時に、接地電位を導波用孔の全周に確保することが可能である。その結果、電波信号の通過特性の劣化を抑止できる。
【００４５】
【発明の実施の形態】
以下、本発明の実施の形態について図を用いて説明する。
【００４６】
（実施の形態１）
図１は、本発明の実施の形態１におけるＬＮＢが用いられる衛星放送受信システムのブロック図である。図１を参照して、このシステムは、大きくアウトドア部とインドア部とにより構成される。アウトドア部は、アンテナ１と、アンテナ１に接続されたＬＮＢ２とにより構成される。インドア部は、インドアレシーバ４と、テレビジョン９とにより構成される。
【００４７】
ＬＮＢ２は、アンテナ１で受信した衛星からの電波を増幅し、同軸ケーブル３を介してインドアレシーバ４に低雑音でかつ十分なレベルの信号を供給する。インドアレシーバ４は、ＤＢＳ（Ｄｉｒｅｃｔ  Ｂｒｏａｄｃａｓｔｉｎｇ  ｂｙ  Ｓａｔｅｌｌｉｔｅ）チューナ５とＦＭ（Ｆｒｅｑｕｅｎｃｙ  Ｍｏｄｕｌａｔｉｏｎ）デモジュレータ６と、映像および音声回路７と、ＲＦ（Ｒａｄｉｏ  Ｆｒｅｑｕｅｎｃｙ）モジュレータ８とにより構成される。ＬＮＢ２から同軸ケーブル３を介してインドアレシーバ４に与えられた信号は、ＤＳＢチューナ５、ＦＭデモジュレータ６、映像および音声回路７、ＲＦモジュレータ８により加工される。その加工された信号がテレビジョン９に与えられる。
【００４８】
次に、図１で示すＬＮＢについて説明する。図２は、図１のＬＮＢを示すブロック図である。図２を参照して、ＬＮＢ２は、ＬＮＡ（Ｌｏｗ  Ｎｏｉｓｅ  Ａｍｐｌｉｆｉｅｒ）２２と、ＢＰＦ（Ｂａｎｄ  Ｐａｓｓ  Ｆｉｌｔｅｒ）２３と、混成回路２４と、ＩＦ（Ｉｎｔｅｒｍｅｄｉａｔｅ  Ｆｒｅｑｕｅｎｃｙ）アンプ２５と、電源２６と、ＬＯ（Ｌｏｃａｌ  Ｏｓｃｉｌｌａｔｏｒ）２７とを有する。
【００４９】
ＬＮＡ２２は導波管２１に接続されている。ＬＮＡ２２はＢＰＦ２３に接続され、混成回路２４はＬＯ２７と接続されている。ＬＮＡ２２とＬＯ２７とには電源２６から電力が供給されている。混成回路２４はＬＯ２７と接続されている。また、混成回路２４は、ＢＰＦ２３およびＩＦアンプ２５と接続されている。ＩＦアンプ２５はコイルを介して電源２６と接続されている。
【００５０】
次に、ＬＮＢ２の構造について説明する。図３は、本発明の実施の形態１におけるＬＮＢの構造を示す分解斜視図である。
【００５１】
図３を参照して、ＬＮＢ２は、シャーシ１１とＬＮＢ用４層基板１０とフレーム１２と導波管２１からなる。ＬＮＢ用４層基板１０はシャーシ１１とフレーム１２とによって挟み込まれている。シャーシ１１には導波管２１が接続されている。ＬＮＢ用４層基板１０には導波用孔１３が形成されていて、導波用孔１３内にはプローブ１４が配置されている。
【００５２】
このＬＮＢ２においては、導波管２１および導波用孔１３を伝播してきた電波信号が、プローブ１４を介してＬＮＢ用４層基板１０のＬＮＡ２２（図２）へと入力される。なお、シャーシ１１は、ＬＮＢ用４層基板１０を固定し、また外部端子とＬＮＢ用４層基板１０とに共通したアースの場を提供し、さらアンテナから反射される高周波の電波信号の伝達における導波管としても機能している。また、フレーム１２は、シャーシ１１との組合せによる基板回路への信号伝達、電波シールド、シャーシ１１と一体化したグランド、ＬＮＢコンバータ内の気密保持等の働きをする。
【００５３】
図４は、本発明の実施の形態１におけるＬＮＢ用４層基板を示す平面図、図５は、図４のＶ−Ｖ線に沿った断面図である。
【００５４】
図４および図５を参照して、ＬＮＢ用４層基板１０がシャーシ１１上に配置されている。ＬＮＢ用４層基板１０は、導波用孔１３とプローブ１４とアンテナパターン１５と第１層目〜第３層目のグランド用導電層１６〜１８と、誘電体層３１〜３３とを備えている。シャーシ１１は導波管２１と接続されていて、導波管２１に連通するように、導波用孔１３がＬＮＢ用４層基板１０に開口されている。プローブ１４は、ＬＮＢ用４層基板１０から突き出して導波用孔１３内に配置されている。
【００５５】
ＬＮＢ用４層基板１０においては、アンテナパターン１５が最上層の導電層で形成されている。また、グランド用導電層１６〜１８は、誘電体層３１〜３３を介してアンテナパターン１５に積層されている。すなわち、第１層目のグランド用導電層１６が上から２番目の導電層で形成されていて、第２層目のグランド用導電層１７が上から３番目の導電層で形成されていて、第３層目のグランド用導電層１８が最下層の導電層で形成されている。そして、アンテナパターン１５と第１層目のグランド用導電層１６との間には誘電体層３１が形成されていて、第１層目のグランド用導電層１６と第２層目のグランド用導電層１７との間には誘電体層３２が形成されていて、第２層目のグランド用導電層１７と第３層目のグランド用導電層１８との間には誘電体層３３が形成されている。
【００５６】
なお、第１層目〜第３層目のグランド用導電層１６〜１８は、導波用孔１３の周囲に形成された接続用孔１９により電気的に接続されている。これにより、第１層目〜第３層目のグランド用導電層１６〜１８は接地電位であるシャーシ１１と同電位となっている。
【００５７】
図６は、本発明の実施の形態１におけるＬＮＢ用４層基板の第１層目のグランド用導電層を示す平面図である。図７は、本発明の実施の形態１におけるＬＮＢ用４層基板の第２層目のグランド用導電層を示す平面図である。図８は、本発明の実施の形態１におけるＬＮＢ用４層基板の第３層目のグランド用導電層を示す平面図である。
【００５８】
本実施の形態において最も注目すべきは、第２層目および第３層目のグランド用導電層１７、１８の構造である。すなわち、図６を参照して、本実施の形態における第１層目のグランド用導電層１６は、全面が導電層４０で形成されている。これは従来のグランド用導電層と同じ構造である。一方、図７を参照して、本実施の形態における第２層目のグランド層１７は、アンテナパターン１５よりも導波管２１側の領域３０全体に誘電体層４２が形成されている。さらに、図８を参照して、本実施の形態における第３層目のグランド層１８は、アンテナパターン１５の真下の領域に切り欠部３４が形成されている。
【００５９】
本願発明者らは、本実施の形態におけるＬＮＢ用４層基板１０を用いたＬＮＢと従来のＬＮＢ用４層基板１００を用いたＬＮＢとについて、通過特性の評価を行なった。図９は、従来のＬＮＢと、本発明の実施の形態１におけるＬＮＢとの通過特性と周波数との関係を示した図である。なお通過特性の縦軸は導波管２１からプローブ１４までの通過特性を意味している。
【００６０】
この結果から、１０．５ＧＨｚ〜１３ＧＨｚの周波数において、本実施の形態におけるＬＮＢ２は高い通過特性を有していることがわかる。
【００６１】
本実施の形態におけるＬＮＢ用４層基板１０は、第２層目のグランド用導電層１７において、アンテナパターン１５よりも導波管２１側の領域３０に誘電体層４２が形成されている。かつ、第３層目のグランド用導電層１８において、アンテナパターン１５の真下の領域に切り欠部３４が形成されている。
【００６２】
これにより、第２層目のグランド用導電層１７において、アンテナパターン１５よりも導波管２１側の領域３０に導電層４０がない。また、第３層目のグランド用導電層１８において、アンテナパターン１５の真下の領域に導電層４０がない。したがって、３層のグランド用導電層１６〜１８が互いに電気的な相互作用を及ぼし合うことが抑止される。その結果、３層のグランド用導電層１６〜１８の各々が接地電位に保たれ、電波信号の通過特性の劣化を抑止できる。
【００６３】
なお、本実施の形態においては、ＬＮＢ用多層基板が４層基板１０である場合について示したが、本発明はこのような場合に限定されるものではなく、２層以上のグランド用導電層を備えた多層基板であればよい。また、本実施の形態においては、第２層目のグランド用導電層１７において、アンテナパターン１５よりも導波管２１側の領域３０に誘電体層４２が形成されている場合について示したが、本発明はこのような場合に限定されるものではなく、２層以上のグランド用導電層のうち少なくともいずれか１層のグランド用導電層において、アンテナパターンよりも導波管側の領域の少なくとも一部に導電層が形成されていなければよく、好ましくは、アンテナパターンの真下の領域に導電層が形成されていなければよい。
【００６４】
（実施の形態２）
図１０は、本発明の実施の形態２におけるＬＮＢ用４層基板を示す断面図である。
【００６５】
図１０を参照して、本実施の形態におけるＬＮＢ用４層基板１０は、第１層目のグランド用導電層１６が図７に示すグランド用導電層で構成されていて、第２層目のグランド用導電層１７が図６に示すグランド用導電層で構成されていて、第３層目のグランド用導電層１８が図８に示すグランド用導電層で構成されている。
【００６６】
なお、これ以外の構成については、図１〜図４に示す実施の形態１の構成とほぼ同じであるため、同一の構成要素については同一の符号を付し、その説明を省略する。
【００６７】
本実施の形態においては、第１層目のグランド用導電層１６において、アンテナパターン１５よりも導波管２１側の領域３０に導電層４０がない。また、第３層目のグランド用導電層１８において、アンテナパターン１５の真下の領域に導電層４０がない。したがって、３層のグランド用導電層１６〜１８が互いに電気的な相互作用を及ぼし合うことが抑止される。その結果、３層のグランド用導電層１６〜１８の各々が接地電位に保たれ、電波信号の通過特性の劣化を抑止できる。
【００６８】
（実施の形態３）
図１１は、本発明の実施の形態３におけるＬＮＢ用４層基板を示す断面図である。
【００６９】
図１１を参照して、本実施の形態におけるＬＮＢ用４層基板１０は、第１層目のグランド用導電層１６および第２層目のグランド用導電層１７が図７に示すグランド用導電層で構成されていて、第３層目のグランド用導電層１８が、図６に示すグランド用導電層で構成されている。
【００７０】
なお、これ以外の構成については、図１〜図４に示す実施の形態１の構成とほぼ同じであるため、同一の構成要素については同一の符号を付し、その説明を省略する。
【００７１】
本実施の形態においては、第１層目のグランド用導電層１６および第２層目のグランド用導電層１７において、アンテナパターン１５よりも導波管２１側の領域３０に導電層４０がないので、３層のグランド用導電層１６〜１８が互いに電気的な相互作用を及ぼし合うことが一層抑止される。その結果、３層のグランド用導電層１６〜１８の各々が接地電位に保たれ、電波信号の通過特性の劣化を抑止できる。
【００７２】
（実施の形態４）
図１２は、本発明の実施の形態４におけるＬＮＢ用４層基板を示す断面図である。
【００７３】
図１２を参照して、本実施の形態におけるＬＮＢ用４層基板１０は、第１層目のグランド用導電層１６および第２層目のグランド用導電層１７が図６に示すグランド用導電層で構成されていて、第３層目のグランド用導電層１８が図８に示すグランド用導電層で構成されている。
【００７４】
なお、これ以外の構成については、図１〜図４に示す実施の形態１の構成とほぼ同じであるため、同一の構成要素については同一の符号を付し、その説明を省略する。
【００７５】
本願発明者らは、本実施の形態におけるＬＮＢ用４層基板１０を用いたＬＮＢと従来のＬＮＢ用４層基板１００を用いたＬＮＢとについて、通過特性の評価を行なった。図１３は従来のＬＮＢと、本発明の実施の形態４におけるＬＮＢとの通過特性と周波数との関係を示した図である。
【００７６】
この結果から、１０．５ＧＨｚ〜１３ＧＨｚの周波数において、本実施の形態におけるＬＮＢは高い通過特性を有していることがわかる。
【００７７】
本実施の形態においては、第３層目のグランド用導電層１８において、アンテナパターン１５の真下の領域に導電層４０がないので、３層のグランド用導電層１６〜１８が互いに電気的な相互作用を及ぼし合うことが抑止される。また、３層のグランド用導電層１６〜１８において、第３層目のグランド用導電層１８におけるアンテナパターン１５の真下の領域以外の部分は、導電層４０で構成されているので、３層のグランド用導電層１６〜１８の全層において導波用孔１３の周囲４３には導電層４０が形成されている。これにより、接地電位を導波用孔１３の周囲４３に確保することが可能である。その結果、電波信号の通過特性の劣化を抑止できる。
【００７８】
なお、本実施の形態においては、第３層目のグランド層１８において、アンテナパターン１５の真下の領域に切り欠部３４が形成されている場合について示したが、本発明はこのような場合に限定されるものではなく、３層のグランド用導電層の全層において導波用孔の周囲に導電層が形成されていればよい。
【００７９】
（実施の形態５）
図１４は、本発明の実施の形態５におけるＬＮＢ用４層基板を示す断面図である。
【００８０】
図１４を参照して、本実施の形態におけるＬＮＢ用４層基板１０は、第１層目のグランド用導電層１６および第３層目のグランド用導電層１８が図６に示すグランド用導電層で構成されていて、第２層目のグランド用導電層１７が図１５に示すグランド用導電層で構成されている。
【００８１】
図１５は、本発明の実施の形態５におけるＬＮＢ用４層基板の第２層目のグランド用導電層を示す平面図である。図１５を参照して、本実施の形態における第２層目のグランド層１７においては、導波用孔１３の周囲４３であってアンテナパターン１５の真下の領域を除く部分に、導電層４０が形成されている。また、それ以外のアンテナパターン１５よりも導波管２１側の領域３０に、誘電体層４２が形成されている。
【００８２】
なお、これ以外の構成については、図１〜図４に示す実施の形態１の構成とほぼ同じであるため、同一の構成要素については同一の符号を付し、その説明を省略する。
【００８３】
本実施の形態においては、第２層目のグランド用導電層１７において、導波用孔１３の周囲４３以外のアンテナパターン１５よりも導波管２１側の領域３０に導電層４０がないので、３層のグランド用導電層１６〜１８が互いに電気的な相互作用を及ぼし合うことが一層抑止される。それと同時に、接地電位を導波用孔１３の周囲４３に確保することが可能である。その結果、電波信号の通過特性の劣化を抑止できる。
【００８４】
（実施の形態６）
図１６は、本発明の実施の形態６におけるＬＮＢ用４層基板を示す断面図である。
【００８５】
図１６を参照して、本実施の形態におけるＬＮＢ用４層基板１０は、第１層目のグランド用導電層１６が図１５に示すグランド用導電層で構成されていて、第２層目のグランド用導電層１７および第３層目のグランド用導電層１８が図６に示すグランド用導電層で構成されている。
【００８６】
なお、これ以外の構成については、図１〜図４に示す実施の形態１の構成とほぼ同じであるため、同一の構成要素については同一の符号を付し、その説明を省略する。
【００８７】
本実施の形態においては、第２層目のグランド用導電層１７において、導波用孔１３の周囲４３以外のアンテナパターン１５よりも導波管２１側の領域３０に導電層４０がないので、３層のグランド用導電層１６〜１８が互いに電気的な相互作用を及ぼし合うことが一層抑止される。それと同時に、接地電位を導波用孔１３の周囲４３に確保することが可能である。その結果、電波信号の通過特性の劣化を抑止できる。
【００８８】
（実施の形態７）
図１７は、本発明の実施の形態７におけるＬＮＢ用４層基板を示す断面図である。
【００８９】
図１７を参照して、本実施の形態におけるＬＮＢ用４層基板１０は、第１層目のグランド用導電層１６が図１５に示すグランド用導電層で構成されていて、第２層目のグランド用導電層１７が図６に示すグランド用導電層で構成されていて、第３層目のグランド用導電層１８が図１８に示すグランド用導電層で構成されている。
【００９０】
図１８は、本発明の実施の形態７におけるＬＮＢ用４層基板の第３層目のグランド用導電層を示す平面図である。図１８を参照して、本実施の形態における第３層目のグランド層１８においては、アンテナパターン１５の真下の領域であって、導波用孔１３の全周囲４３を除く部分に切り欠部３５が形成されている。
【００９１】
なお、これ以外の構成については、図１〜図４に示す実施の形態１の構成とほぼ同じであるため、同一の構成要素については同一の符号を付し、その説明を省略する。
【００９２】
本願発明者らは、本実施の形態におけるＬＮＢ用４層基板１０を用いたＬＮＢと従来のＬＮＢ用４層基板１００を用いたＬＮＢとについて、通過特性の評価を行なった。図１９は、従来のＬＮＢと、本発明の実施の形態７におけるＬＮＢとの通過特性と周波数との関係を示した図である。
【００９３】
この結果から、１０．７ＧＨｚ〜１３ＧＨｚの周波数において、本実施の形態におけるＬＮＢは高い通過特性を有していることがわかる。
【００９４】
本実施の形態においては、第１層目のグランド用導電層１６において、導波用孔１３の全周囲４３を除くアンテナパターン１５よりも導波管２１側の領域３０に導電層４０がない。また、第３層目のグランド用導電層１８において、アンテナパターン１５の真下の領域に導電層４０がない。したがって、２層のグランド用導電層１６、１８におけるアンテナパターン１５より導波管２１側の領域３０の一部に導電層４０が形成されていないので、３層のグランド用導電層１６〜１８が互いに電気的な相互作用を及ぼし合うことが一層抑止される。それと同時に、接地電位を導波用孔１３の周囲４３に確保することが可能である。その結果、電波信号の通過特性の劣化を抑止できる。
【００９５】
なお、本実施の形態においては、第１層目のグランド用導電層１６が図１５に示すグランド用導電層で構成されていて、第３層目のグランド用導電層１８が図１８に示すグランド用導電層で構成されている場合について示したが、本発明はこのような場合に限定されるものではなく、少なくともいずれか２層のグランド用導電層において、アンテナパターンよりも前記導波管側の領域の少なくとも一部に導電層が形成されていなければよい。
【００９６】
（実施の形態８）
図２０は、本発明の実施の形態８におけるＬＮＢ用４層基板を示す断面図である。
【００９７】
図２０を参照して、本実施の形態におけるＬＮＢ用４層基板１０は、第１層目のグランド用導電層１６が図６に示すグランド用導電層で構成されていて、第２層目のグランド用導電層１７が図２１に示すグランド用導電層で構成されていて、第３層目のグランド用導電層１８が図８に示すグランド用導電層で構成されている。
【００９８】
図２１は、本発明の実施の形態８におけるＬＮＢ用４層基板の第２層目のグランド用導電層を示す平面図である。図１８を参照して、本実施の形態における第２層目のグランド層１７においては、導波用孔１３の全周囲４３を取り囲む導電層４０が形成されている。また、それ以外のアンテナパターン１５よりも導波管２１側の領域３０に、誘電体層４２が形成されている。
【００９９】
なお、これ以外の構成については、図１〜図４に示す実施の形態１の構成とほぼ同じであるため、同一の構成要素については同一の符号を付し、その説明を省略する。
【０１００】
本実施の形態においては、第３層目のグランド用導電層１８において、アンテナパターン１４の真下の領域に導電層４０がない。また、第２層目のグランド用導電層１７において、導波用孔１３の全周囲４３を除くアンテナパターン１５よりも導波管２１側の領域３０に導電層４０がない。したがって、２層のグランド用導電層１７、１８におけるアンテナパターン１５より導波管２１側の領域３０の一部に導電層４０が形成されていないので、３層のグランド用導電層１６〜１８が互いに電気的な相互作用を及ぼし合うことが一層抑止される。それと同時に、接地電位を導波用孔１３の周囲４３に確保することが可能である。その結果、電波信号の通過特性の劣化を抑止できる。
【０１０１】
（実施の形態９）
図２２は、本発明の実施の形態９におけるＬＮＢ用４層基板を示す断面図である。
【０１０２】
図２２を参照して、本実施の形態におけるＬＮＢ用４層基板１０は、第１層目のグランド用導電層１６が図２１に示すグランド用導電層で構成されていて、第２層目のグランド用導電層１７が図６に示すグランド用導電層で構成されていて、第３層目のグランド用導電層１８が図８に示すグランド用導電層で構成されている。
【０１０３】
なお、これ以外の構成については、図１〜図４に示す実施の形態１の構成とほぼ同じであるため、同一の構成要素については同一の符号を付し、その説明を省略する。
【０１０４】
本実施の形態においては、第３層目のグランド用導電層１８において、アンテナパターン１４の真下の領域に導電層４０がない。また、第１層目のグランド用導電層１６において、導波用孔１３の全周囲４３を除くアンテナパターン１５よりも導波管２１側の領域３０に導電層４０がない。したがって、２層のグランド用導電層１６、１８におけるアンテナパターン１５より導波管２１側の領域３０の一部に導電層４０が形成されていないので、３層のグランド用導電層１６〜１８が互いに電気的な相互作用を及ぼし合うことが一層抑止される。それと同時に、接地電位を導波用孔１３の周囲４３に確保することが可能である。その結果、電波信号の通過特性の劣化を抑止できる。
【０１０５】
（実施の形態１０）
図２３は、本発明の実施の形態１０におけるＬＮＢ用４層基板を示す断面図である。
【０１０６】
図２３を参照して、本実施の形態におけるＬＮＢ用４層基板１０は、第１層目のグランド用導電層１６が図６に示すグランド用導電層で構成されていて、第２層目のグランド用導電層１７が図１５に示すグランド用導電層で構成されていて、第３層目のグランド用導電層１８が図８に示すグランド用導電層で構成されている。
【０１０７】
なお、これ以外の構成については、図１〜図４に示す実施の形態１の構成とほぼ同じであるため、同一の構成要素については同一の符号を付し、その説明を省略する。
【０１０８】
本願発明者らは、本実施の形態におけるＬＮＢ用４層基板１０を用いたＬＮＢと従来のＬＮＢ用４層基板１００を用いたＬＮＢとについて、通過特性の評価を行なった。図２４は、従来のＬＮＢと、本発明の実施の形態１０におけるＬＮＢとの通過特性と周波数との関係を示した図である。
【０１０９】
この結果から、１０．５ＧＨｚ〜１３ＧＨｚの周波数において、本実施の形態におけるＬＮＢは高い通過特性を有していることがわかる。
【０１１０】
本実施の形態においては、第２層目のグランド用導電層１７において、導波用孔１３の周囲４３以外のアンテナパターン１５よりも導波管２１側の領域３０に導電層４０がない。また、第３層目のグランド用導電層１８において、アンテナパターン１５の真下の領域に導電層４０がない。したがって、２層のグランド用導電層１７、１８におけるアンテナパターン１５の真下の領域に導電層４０が全く形成されていないので、３層のグランド用導電層１６〜１８が互いに電気的な相互作用を及ぼし合うことが一層抑止される。それと同時に、接地電位を導波用孔１３の周囲に確保することが可能である。その結果、電波信号の通過特性の劣化を抑止できる。
【０１１１】
なお、本実施の形態においては、第２層目のグランド用導電層１７が図１５に示すグランド用導電層で構成されていて、第３層目のグランド用導電層１８が図８に示すグランド用導電層で構成されている場合について示したが、本発明はこのような場合に限定されるものではなく、少なくともいずれか２層のグランド用導電層において、アンテナパターンの真下の領域に導電層が形成されていなければよい。
【０１１２】
（実施の形態１１）
図２５は、本発明の実施の形態１１におけるＬＮＢ用４層基板を示す断面図である。
【０１１３】
図２５を参照して、本実施の形態におけるＬＮＢ用４層基板１０は、第１層目のグランド用導電層１６が図１５に示すグランド用導電層で構成されていて、第２層目のグランド用導電層１７が図６に示すグランド用導電層で構成されていて、第３層目のグランド用導電層１８が図８に示すグランド用導電層で構成されている。
【０１１４】
なお、これ以外の構成については、図１〜図４に示す実施の形態１の構成とほぼ同じであるため、同一の構成要素については同一の符号を付し、その説明を省略する。
【０１１５】
本実施の形態においては、第１層目のグランド用導電層１６において、導波用孔１３の周囲４３以外のアンテナパターン１５よりも導波管２１側の領域３０に導電層４０がない。また、第３層目のグランド用導電層１８において、アンテナパターン１５の真下の領域に導電層４０がない。したがって、２層のグランド用導電層１６、１８におけるアンテナパターン１５の真下の領域には導電層４０が全く形成されていないので、３層のグランド用導電層１６〜１８が互いに電気的な相互作用を及ぼし合うことが一層抑止される。それと同時に、接地電位を導波用孔１３の周囲に確保することが可能である。その結果、電波信号の通過特性の劣化を抑止できる。
【０１１６】
（実施の形態１２）
図２６は、本発明の実施の形態１２におけるＬＮＢ用４層基板を示す断面図である。
【０１１７】
図２６を参照して、本実施の形態におけるＬＮＢ用４層基板１０は、第１層目のグランド用導電層１６および第２層目のグランド用導電層１７が図１５に示すグランド用導電層で構成されていて、第３層目のグランド用導電層１８が図６に示すグランド用導電層で構成されている。
【０１１８】
なお、これ以外の構成については、図１〜図４に示す実施の形態１の構成とほぼ同じであるため、同一の構成要素については同一の符号を付し、その説明を省略する。
【０１１９】
本実施の形態においては、第１層目のグランド用導電層１６および第２層目のグランド用導電層１７において、導波用孔１３の周囲４３以外のアンテナパターン１５よりも導波管２１側の領域３０に導電層４０がない。したがって、２層のグランド用導電層１６、１７におけるアンテナパターン１５の真下の領域には導電層４０が全く形成されていないので、３層のグランド用導電層１６〜１８が互いに電気的な相互作用を及ぼし合うことが一層抑止される。それと同時に、接地電位を導波用孔１３の周囲に確保することが可能である。その結果、電波信号の通過特性の劣化を抑止できる。
【０１２０】
（実施の形態１３）
図２７は、本発明の実施の形態１３におけるＬＮＢ用４層基板を示す断面図である。
【０１２１】
図２７を参照して、本実施の形態におけるＬＮＢ用４層基板１０は、第１層目のグランド用導電層１６が図６に示すグランド用導電層で構成されていて、第２層目のグランド用導電層１７が図２１に示すグランド用導電層で構成されていて、第３層目のグランド用導電層１８が図１８に示すグランド用導電層で構成されている。
【０１２２】
なお、これ以外の構成については、図１〜図４に示す実施の形態１の構成とほぼ同じであるため、同一の構成要素については同一の符号を付し、その説明を省略する。
【０１２３】
本願発明者らは、本実施の形態におけるＬＮＢ用４層基板１０を用いたＬＮＢと従来のＬＮＢ用４層基板１００を用いたＬＮＢとについて、通過特性の評価を行なった。図２８は、従来のＬＮＢと、本発明の実施の形態１３におけるＬＮＢとの通過特性と周波数との関係を示した図である。
【０１２４】
この結果から、１０．７ＧＨｚ〜１３ＧＨｚの周波数において、本実施の形態におけるＬＮＢは高い通過特性を有していることがわかる。
【０１２５】
本実施の形態においては、３層のグランド用導電層１６〜１８の全層において、接地電位を導波用孔１３の全周囲４３に確保することが可能である。また、第２層目のグランド用導電層１７において、導波用孔１３の全周囲４３を除くアンテナパターン１５よりも導波管２１側の領域３０に導電層４０がない。さらに、第３層目のグランド用導電層１８において、アンテナパターン１５の真下の領域の一部に導電層４０がない。したがって、２層のグランド用導電層１７、１８において、アンテナパターン１５よりも導波管２１側の領域３０の一部に導電層４０が形成されていないので、３層のグランド用導電層１６〜１８が互いに電気的な相互作用を及ぼし合うことが抑止される。その結果、電波信号の通過特性の劣化を抑止できる。
【０１２６】
（実施の形態１４）
図２９は、本発明の実施の形態１４におけるＬＮＢ用４層基板を示す断面図である。
【０１２７】
図２９を参照して、本実施の形態におけるＬＮＢ用４層基板１０は、第１層目のグランド用導電層１６が図２１に示すグランド用導電層で構成されていて、第２層目のグランド用導電層１７が図６に示すグランド用導電層で構成されていて、第３層目のグランド用導電層１８が図１８に示すグランド用導電層で構成されている。
【０１２８】
なお、これ以外の構成については、図１〜図４に示す実施の形態１の構成とほぼ同じであるため、同一の構成要素については同一の符号を付し、その説明を省略する。
【０１２９】
本実施の形態においては、３層のグランド用導電層１６〜１８の全層において、接地電位を導波用孔１３の全周囲４３に確保することが可能である。また、第１層目のグランド用導電層１６において、導波用孔１３の全周囲４３を除くアンテナパターン１５よりも導波管２１側の領域３０に導電層４０がない。さらに、第３層目のグランド用導電層１８において、アンテナパターン１５の真下の領域の一部に導電層４０がない。したがって、２層のグランド用導電層１６、１８において、アンテナパターン１５よりも導波管２１側の領域３０の一部に導電層４０が形成されていないので、３層のグランド用導電層１６〜１８が互いに電気的な相互作用を及ぼし合うことが抑止される。その結果、電波信号の通過特性の劣化を抑止できる。
【０１３０】
（実施の形態１５）
図３０は、本発明の実施の形態１５におけるＬＮＢ用４層基板を示す断面図である。
【０１３１】
図３０を参照して、本実施の形態におけるＬＮＢ用４層基板１０は、第１層目のグランド用導電層１６および第２層目のグランド用導電層１７が図２１に示すグランド用導電層で構成されていて、第３層目のグランド用導電層１８が図６に示すグランド用導電層で構成されている。
【０１３２】
なお、これ以外の構成については、図１〜図４に示す実施の形態１の構成とほぼ同じであるため、同一の構成要素については同一の符号を付し、その説明を省略する。
【０１３３】
本実施の形態においては、３層のグランド用導電層１６〜１８の全層において、接地電位を導波用孔１３の全周囲に確保することが可能である。また、第１層目のグランド用導電層１６および第２層目のグランド用導電層１７において、導波用孔１３の全周囲４３を除くアンテナパターン１５よりも導波管２１側の領域３０に導電層４０がない。したがって、２層のグランド用導電層１６、１８において、アンテナパターン１５よりも導波管２１側の領域３０の一部に導電層４０が形成されていないので、３層のグランド用導電層１６〜１８が互いに電気的な相互作用を及ぼし合うことが抑止される。その結果、電波信号の通過特性の劣化を抑止できる。
【０１３４】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正や変形を含むものと意図される。
【０１３５】
【発明の効果】
以上のように、本発明の低雑音ブロックダウンコンバータ用多層基板によれば、２層以上のグランド用導電層のうち少なくともいずれか１層の導電層において、アンテナパターンよりも導波管側の領域の少なくとも一部の導電層がなくなるので、２層以上のグランド用導電層が互いに電気的な相互作用を及ぼし合うことが抑止される。その結果、２層以上のグランド用導電層の各々が接地電位に保たれ、電波信号の通過特性の劣化を抑止できる。
【図面の簡単な説明】
【図１】本発明の実施の形態１におけるＬＮＢが用いられる衛星放送受信システムのブロック図である。
【図２】図１のＬＮＢを示すブロック図である。
【図３】本発明の実施の形態１におけるＬＮＢの構造を示す分解斜視図である。
【図４】本発明の実施の形態１におけるＬＮＢ用４層基板を示す平面図である。
【図５】図４のＶ−Ｖ線に沿った断面図である。
【図６】本発明のたとえば実施の形態１におけるＬＮＢ用４層基板の第１層目のグランド用導電層を示す平面図である。
【図７】本発明のたとえば実施の形態１におけるＬＮＢ用４層基板の第２層目のグランド用導電層を示す平面図である。
【図８】本発明のたとえば実施の形態１におけるＬＮＢ用４層基板の第３層目のグランド用導電層を示す平面図である。
【図９】従来のＬＮＢと、本発明の実施の形態１におけるＬＮＢとの通過特性と周波数との関係を示した図である。
【図１０】本発明の実施の形態２におけるＬＮＢ用４層基板を示す断面図である。
【図１１】本発明の実施の形態３におけるＬＮＢ用４層基板を示す断面図である。
【図１２】本発明の実施の形態４におけるＬＮＢ用４層基板を示す断面図である。
【図１３】従来のＬＮＢと、本発明の実施の形態４におけるＬＮＢとの通過特性と周波数との関係を示した図である。
【図１４】本発明の実施の形態５におけるＬＮＢ用４層基板を示す断面図である。
【図１５】本発明のたとえば実施の形態５におけるＬＮＢ用４層基板の第２層目のグランド用導電層を示す平面図である。
【図１６】本発明の実施の形態６におけるＬＮＢ用４層基板を示す断面図である。
【図１７】本発明の実施の形態７におけるＬＮＢ用４層基板を示す断面図である。
【図１８】本発明のたとえば実施の形態７におけるＬＮＢ用４層基板の第３層目のグランド用導電層を示す平面図である。
【図１９】従来のＬＮＢと、本発明の実施の形態７におけるＬＮＢとの通過特性と周波数との関係を示した図である。
【図２０】本発明の実施の形態８におけるＬＮＢ用４層基板を示す断面図である。
【図２１】本発明のたとえば実施の形態８におけるＬＮＢ用４層基板の第２層目のグランド用導電層を示す平面図である。
【図２２】本発明の実施の形態９におけるＬＮＢ用４層基板を示す断面図である。
【図２３】本発明の実施の形態１０におけるＬＮＢ用４層基板を示す断面図である。
【図２４】従来のＬＮＢと、本発明の実施の形態１０におけるＬＮＢとの通過特性と周波数との関係を示した図である。
【図２５】本発明の実施の形態１１におけるＬＮＢ用４層基板を示す断面図である。
【図２６】本発明の実施の形態１２におけるＬＮＢ用４層基板を示す断面図である。
【図２７】本発明の実施の形態１３におけるＬＮＢ用４層基板を示す断面図である。
【図２８】従来のＬＮＢと、本発明の実施の形態１３におけるＬＮＢとの通過特性と周波数との関係を示した図である。
【図２９】本発明の実施の形態１４におけるＬＮＢ用４層基板を示す断面図である。
【図３０】本発明の実施の形態１５におけるＬＮＢ用４層基板を示す断面図である。
【図３１】従来のＬＮＢ用４層基板を示す断面図である。
【符号の説明】
１  アンテナ、２  ＬＮＢ、３  同軸ケーブル、４  インドアレシーバ、５  ＤＢＳチューナ、６  ＦＭデモジュレータ、７  映像および音声回路、８  ＲＦモジュレータ、９  テレビジョン、１０，１００  ＬＮＢ用４層基板、１１，１１１  シャーシ、１２  フレーム、１３，１１３  導波用孔、１４，１１４  プローブ、１５，１１５  アンテナパターン、１６〜１８，１１６〜１１８  グランド用導電層、１９  接続用孔、２１，１２１  導波管、２２  ＬＮＡ、２３  ＢＰＦ、２４  混成回路、２５  ＩＦアンプ、２６  電源、２７  ＬＯ、３０  アンテナパターンよりも導波管側の領域、３１〜３３，４２，１３１〜１３３  誘電体層、３４，３５  切り欠部、４０  導電層、４３  導波管の周囲。
【図１】
2004297486.tif 000003
【図２】
2004297486.tif 000004
【図３】
2004297486.tif 000005
【図４】
2004297486.tif 000006
【図５】
2004297486.tif 000007
【図６】
2004297486.tif 000008
【図７】
2004297486.tif 000009
【図８】
2004297486.tif 000010
【図９】
2004297486.tif 000011
【図１０】
2004297486.tif 000012
【図１１】
2004297486.tif 000013
【図１２】
2004297486.tif 000014
【図１３】
2004297486.tif 000015
【図１４】
2004297486.tif 000016
【図１５】
2004297486.tif 000017
【図１６】
2004297486.tif 000018
【図１７】
2004297486.tif 000019
【図１８】
2004297486.tif 000020
【図１９】
2004297486.tif 000021
【図２０】
2004297486.tif 000022
【図２１】
2004297486.tif 000023
【図２２】
2004297486.tif 000024
【図２３】
2004297486.tif 000025
【図２４】
2004297486.tif 000026
【図２５】
2004297486.tif 000027
【図２６】
2004297486.tif 000028
【図２７】
2004297486.tif 000029
【図２８】
2004297486.tif 000030
【図２９】
2004297486.tif 000031
【図３０】
2004297486.tif 000032
【図３１】
2004297486.tif 000033